(57)【要約】      （修正有）【課題】遠隔地にいるシステム監視者にいち早く異常を知らせることができるネットワーク警報表示装置を提供する。【解決手段】ネットワーク上での異常を検知したネットワーク監視用サーバーから異常通知を受けて、直接表示装置の上面に設けた表示部からランプ表示とアラーム音を出すことによって、遠隔地にいるシステム監視者にいち早く異常を知らせる。【選択図】図１
2005117567.tif 000002
【特許請求の範囲】
【請求項１】
ＬＡＮ，ＷＡＮ等を含むコンピュータネットワーク上に接続されたコンピュータ本体の異常とネットワーク全体をサポートする各種機器の異常を検出する異常検出装置において、上記通信網に接続するネットワーク監視用サーバーで検出した異常を受けて、ランプ表示とアラーム音とで警告を発することを特徴とするネットワーク対応のネットワーク警報表示装置。
【請求項２】
前記ランプ表示は、ランプ、ストロボランプ又は高輝度ＬＥＤランプであることを特徴とする請求項１記載のネットワーク警報表示装置。
【請求項３】
ＬＡＮ，ＷＡＮ等を含むコンピュータネットワーク上に接続されたコンピュータ本体の異常とネットワーク全体をサポートする各種機器の異常を検出する異常検出装置において、上記通信網で接続するネットワーク監視用サーバーで検出した異常をネットワーク接続機器を介して受け、装置内のＴＣＰ/ＩＰ機能を利用してランプ表示とアラーム音とで警告を発することを特徴とするネットワーク警報表示装置。
【請求項４】
上記ネットワーク接続機器は、特定のプロトコルの設定下おいて直接ＲＳ
−２３２Ｃインターフェースを持つ監視サーバから、あるいはスイッチングＨＵＢ等でＴＣＰ／ＩＰネットワークを通して接続できる機能を持つ事を特徴とする請求項３記載のネットワーク警報表示装置。
【請求項５】
ＬＡＮ，ＷＡＮ等を含むコンピュータネットワーク上に接続されたコンピュータ本体の異常とネットワーク全体をサポートする各種機器の異常を検出する異常検出装置において、上記通信網で接続するネットワーク監視用サーバーで検出した異常をネットワーク接続機器を介して受け、装置内のＴＣＰ/ＩＰ通信機能を利用してランプ表示とアラーム音とで警告を発すると共に、リレー入出力管理機能で各種ＦＡ監視制御を行うことを特徴とするネットワーク警報表示装置。
【発明の詳細な説明】
【技術分野】
【０００１】
本発明は、イーサネット又はネットワーク網に設置する警報装置に関し、更に詳しくは、ネットワーク障害やそれに係わるトラブルをシステム管理者にランプ表示とアラーム音で警告を発することが可能なネットワーク警報表示装置に関するものである。  
【背景技術】
【０００２】
表示装置に内蔵された電機部位の異常を検出し、検出した電機部位の異常に対応した表示を行うことにより、修理の目的とする部位を容易に確定し異常を解消するまでの時間を短縮する異常診断装置として、特開平６−２１４５３９号は、「任意のパターンを表示画面上に表示することができる表示装置と、前記表示装置に内蔵された各電気部位が異常か否かを検出するための検出手段と、前記検出手段が電気部位の異常を検出したとき、その電気部位の異常を示す内容を表示画面に表示をさせる制御手段とを備えた表示装置における異常診断装置」を開示し、具体的には、ＣＰＵはファン、温度センサ、ＬＥＤ点灯用電源部位から発生する異常信号を受けて、ＬＥＤユニットに表示し、さらに稼働用管理パソコンに電気部位の異常を示す信号を出力する装置である。
【０００３】
ネットワークを利用して、異常発生時の警報効果を比較的安価に向上させる異常警報システムとして、特開２００２−１２３８８２号「異常警報システム」が知られている。
【０００４】
このシステムは、本社内ネットワーク１に集中管理装置２と遠隔地内各所に設置された設備機器が接続されており、異常検知センサ８の検知信号を設備機器Ｃを中継として集中管理装置２が受信し、集中管理装置２から警報命令を受信した設備機器３は機器内蔵のブザー、ＬＥＤにて利用者に報知するものである。  
【特許文献１】特開平６−２１４５３９号
【特許文献２】特開２００２−１２３８８２号
【発明の開示】
【発明が解決しようとする課題】
【０００５】
しかしながら、上記特開平６−２１４５３９号で示す異常診断装置は、その異常が管理者が日常監視する稼働用管理パソコン内で表示されるために、常に監視者がパソコン画面を注視しなければならないという課題を有していた。
【０００６】
さらに、上記特開２００２−１２３８８２号「異常警報システム」では、異常検知センサーの検知信号で集中管理装置が受信してから設備機器に警報を命令するシステムであり、センサー自体の信頼性が今ひとつ不安定であったり、遠隔装置の異常監視には向かないものであった。
【課題を解決するための手段】
【０００７】
本発明者は係る課題を解決するために鋭意研究したところ、ネットワーク上につながる接続された各種装置での異常を検知したネットワーク監視用サーバーから異常通知を受けて、直接表示装置の上面に設けた表示部からランプ表示とアラーム音を発することによって、遠隔地にいるシステム監視者にいち早く異常を知らせることができるネットワーク警報表示装置を開発することができ、本発明を提出したものである。
【０００８】
すなわち本発明の第一は、ＬＡＮ，ＷＡＮ等を含むコンピュータネットワーク上に接続されたコンピュータ本体の異常とネットワーク全体をサポートする各種機器の異常を検出する異常検出装置において、上記通信網に接続するネットワーク監視用サーバーで検出した異常を受けて、ランプ表示とアラーム音とで警告を発することを特徴とするネットワーク対応のネットワーク警報表示装置である。
【０００９】
本発明の第二は、前記ランプ表示は、ランプ、ストロボランプ又は高輝度ＬＥＤランプであることを特徴とする請求項１記載のネットワーク警報表示装置である。
【００１０】
本発明の第三は、ＬＡＮ，ＷＡＮ等を含むコンピュータネットワーク上に接続されたコンピュータ本体の異常とネットワーク全体をサポートする各種機器の異常を検出する異常検出装置において、上記通信網で接続するネットワーク監視用サーバーで検出した異常をネットワーク接続機器を介して受け、装置内のＴＣＰ/ＩＰ機能を利用してランプ表示とアラーム音とで警告を発することを特徴とするネットワーク警報表示装置である。
【００１１】
本発明の第四は、上記ネットワーク接続機器は、特定のプロトコルの設定下おいて直接ＲＳ−２３２Ｃインターフェースを持つ監視サーバから、あるいはスイッチングＨＵＢ等でＴＣＰ／ＩＰネットワークを通して接続できる機能を持つ事を特徴とする請求項３記載のネットワーク警報表示装置である。
【００１２】
本発明の第五は、ＬＡＮ，ＷＡＮ等を含むコンピュータネットワーク上に接続されたコンピュータ本体の異常とネットワーク全体をサポートする各種機器の異常を検出する異常検出装置において、上記通信網で接続するネットワーク監視用サーバーで検出した異常をネットワーク接続機器を介して受け、装置内のＴＣＰ/ＩＰ通信機能を利用してランプ表示とアラーム音とで警告を発すると共に、リレー入出力管理機能で各種ＦＡ監視制御を行うことを特徴とするネットワーク警報表示装置である。
【発明の効果】
【００１３】
本発明装置は、管理センターと遠隔地にある各工場間に設置したイーサネット通信網や、１会社内のネットワーク通信網に接続された端末や各種装置の異常を監視用サーバーで検出し、さらにネットワーク接続機器を介して警報表示装置に異常を伝達するために、装置上面に設置した表示部からランプ表示とアラーム音の発生が行われるために、監視者は容易に異常を認識でき常時、モニタ画面を監視しなくてもよい装置である。
【００１４】
また本発明装置は、ＬＡＮケーブルが届くところはどこでも設置できるために、各種ネットワーク障害の他に、ディスクの故障やバッチ系・オンライン系アプリケーション障害、システムダウン、ハッカー侵入等の発生を感知して警報を発生させ、イーサネット又はネットワーク通信網の各種異常検出に幅広く役立つ装置である。
【００１５】
コンピュータ室や工場などの騒音の激しい場所でも、トラブル発生をすぐ認識できる他に、警報表示装置が小型で軽量であるために、設置場所を問わないという効果を有している。
【発明を実施するための最良の形態】
【００１６】
以下に本発明の装置の詳細を実施例をもって詳細に説明するが、本発明の範囲はこれらに限定されるものではない。
【実施例１】
【００１７】
図１に本発明装置を用いた本社管理システムの応用を示す配置図であり、図２は、本発明装置を用いた接続図である。本発明装置は、基本的に各地の工場で稼働する被管理システム５の稼働を監視用ＷＳ４で監視しながら、前記被管理システム５に異常が発生した場合に、ネットワーク接続機器であるルーター３、あるいはハブ８を介して管理者が在住するシステム管理室に設置した警報装置で異常を確認することができる警報表示装置１である。
【００１８】
前記警報表示装置１は、現場ルーター３及びＷＡＮ接合されたネットワーク１３経由で、最終的に本社のネットワーク７を通して異常情報を受信しており、異常を受信した時には、ＴＣＰ/ＩＰ機能を利用して装置上部に取付けた表示部としてのストロボランプ１９（赤、黄色ランプ）が点滅すると共に、該ランプ内部に設けたアラーム音発生部（図示せず）でアラーム音が発生して、視覚的に、又聴覚的に異常をシステム管理者に知らせるものである。
【００１９】
ネットワーク警報装置１の各種パラメータ設定は  本体に接続されているＲＳ２３２Ｃ
インタフェースまたはネットワークを通してＬＡＮのモードやポート番号、通信相手のＩＰアドレスなどの設定を行った
【００２０】
本装置を管理サーバのＲＳ−２３２Ｃボートに直接接続して、本体のＩＰアドレスや各種パラメータを設定することができる。
【００２１】
本装置は、特定の監視サーバーに対してＰＩＮＧ機能を持ち、本装置がネットワークから外れると自分自身で線が切れた旨の警告をランプと音で発する。
【００２２】
前記警報表示装置１は、リレー入出力管理機能で各種ＦＡ監視制御を行うことが可能であるが、本装置では４入力・４出力の接点リレーを内蔵してあり、特定のリレーをネットワークから直接にコントロールすることができると共に、接点入力を監視してホストコンピュータに通知することができる。
【００２３】
本発明装置では、ネット監視ソフトとして例えばＯｐｅｎＶｉｅｗ（ＨＰ社ソフト名）、ＳＵＮ  ＮＥＴ  ＭＡＮＧＥＲ（ＳＵＮ社ソフト名）とファイアウオール関連ソフトとを併用することによって、ハッカーがネットワークに侵入したときにＣｙｂｅｒＧｕｒｄ等でリアルタイムに異常を検知して、警報を発することが可能である。
【００２４】
なお、実施例１ではランプとして、２種類のストロボランプ１９を用いたが、通常の電球棟からならランプであっても当然構わない。
【実施例２】
【００２５】
図５及び図６は、本発明の別な形態を示す警報表示装置であり、表示部として赤、黄、緑、青からなる４色の高輝度ＬＥＤランプが点滅すると共に、アラーム音発生部（図示せず）を内部に設けた他は、実施例１と同様の機能を持たせた警報表示装置である  
【図面の簡単な説明】
【００２６】
【図１】本発明装置を用いた本社管理システムの応用を示す配置図である。
【図２】本発明装置を用いた接続図である。
【図３】本発明装置のスイッチ利用の基本例を示す説明図である。
【図４】本発明装置の各部品を示す正面図である。
【図５】本発明第２装置のスイッチ利用の基本例を示す説明図である。
【図６】本発明第２装置の各部品を示す正面図である。
【図７】ストロボとアラームに関する制御データを示す警報表示一覧図である。
【図８】接点リレー出力に関する制御データを示す一覧図である。
【図９】接点リレー入力に関する制御データを示す一覧図である。
【符号の説明】
【００２７】
１・・・警報表示装置
２・・・ネットワーク全体監視サーバ
３・・・ルータ
４・・・監視用ＷＳ
５・・・被管理システム
６・・・インターフェース
７・・・基幹ネットワーク
８・・・ハブ
９・・・パソコン端末
１０・・ストロボタイプ警報表示装置
１１・・ＬＥＤタイプ警報表示装置
１２・・ローカルサーバー
１３・・ネットワーク網
１４・・切換スイッチ
１５・・インターフェース
１６・・インターフェース
１７・・デンゲンコード
１８・・スイッチ
１９・・ストロボランプ
２０・・リレー接点出力表示ＬＥＤ
２１・・リレー接点入力表示ＬＥＤ
２２・・リレー接点出力端子（４接点）
２３・・リレー接点入力端子（４接点）
２４・・アラーム音量調整ネジ
２５・・ディップスイッチ
２６・・ＬＩＮＫ表示ＬＥＤ
【図１】
2005117567.tif 000003
【図２】
2005117567.tif 000004
【図３】
2005117567.tif 000005
【図４】
2005117567.tif 000006
【図５】
2005117567.tif 000007
【図６】
2005117567.tif 000008
【図７】
2005117567.tif 000009
【図８】
2005117567.tif 000010
【図９】
2005117567.tif 000011